(57)【要約】【課題】対象物に応じて異なる情報を電子タグに書き込む技術を提供する。【解決手段】上記課題は、書き込み情報を電子タグ１０に書き込む書き込み装置６０と、電子タグ１０と紐づけされる対象物５０に関する書き込み情報及び処理順が関連付けて記憶された記憶部８０から、書き込み情報及び処理順を読み出す情報取得部７０と、を備え、情報取得部７０により取得した処理順に従って、その処理順と関連付けられた書き込み情報を、書き込み装置６０により電子タグ１０に書き込む、電子タグ書き込みシステム１により解決される。【選択図】図４
2020149126.tif 000002
【特許請求の範囲】
【請求項１】
書き込み情報を電子タグに書き込む書き込み装置と、
電子タグと紐づけされる対象物に関する書き込み情報及び処理順が関連付けて記憶された記憶部から、前記書き込み情報及び前記処理順を読み出す情報取得部と、を備え、
前記情報取得部により取得した前記処理順に従って、その処理順と関連付けられた前記書き込み情報を、前記書き込み装置により電子タグに書き込む、
ことを特徴とする、電子タグ書き込みシステム。
【請求項２】
前記対象物の生産及び物流の過程で、その過程にある前記対象物の処理順及び各対象物の書き込み情報が、前記記憶部に記憶される、
請求項１記載の電子タグ書き込みシステム。
【請求項３】
前記書き込み装置に対して、電子タグを順次供給するタグ供給部を備え、
前記対象物の生産及び物流における第１の過程で、その過程にある前記対象物の処理順及び各対象物の書き込み情報が取得されて前記記憶部に記憶され、
前記第１の過程よりも下流側における、前記処理順で前記対象物を処理する第２の過程で、前記処理順に従って前記処理順と関連付けられた前記書き込み情報を前記書き込み装置により順次電子タグに書き込む、
請求項１又は２記載の電子タグ書き込みシステム。
【請求項４】
電子タグを順次供給するタグ供給部と、
前記タグ供給部から供給される電子タグを、前記対象物に付属させるタグ付属部とを備え、
前記対象物の生産及び物流における第１の過程で、その過程にある前記対象物の処理順及び各対象物の書き込み情報が取得されて前記記憶部に記憶され、
前記対象物の生産及び物流における第２の過程で、タグ付属部により前記対象物に前記電子タグを付属させ、
前記第１の過程及び第２の過程よりも下流側における、前記処理順で前記対象物を処理する第３の過程で、前記処理順に従って前記処理順と関連付けられた前記書き込み情報を前記書き込み装置により順次前記対象物に付属した電子タグに書き込む、
請求項１又は２記載の電子タグ書き込みシステム。
【請求項５】
電子タグの供給部及び電子タグの付属部を備えず、
前記対象物の生産及び物流における前記処理順で前記対象物を処理する過程で、前記情報取得部により取得した前記処理順に従って、その処理順と関連付けられた前記書き込み情報を、前記書き込み装置により対象物に付属の電子タグに書き込む、
請求項１又は２記載の電子タグ書き込みシステム。
【請求項６】
電子タグと紐づけされる対象物に関する書き込み情報及び処理順が関連付けて記憶された記憶部から、前記書き込み情報及び前記処理順を読み出すステップと、
読み出した前記処理順に従って、その処理順と関連付けられた前記書き込み情報を電子タグに書き込む、
ことを特徴とする、電子タグ書き込み方法。
【発明の詳細な説明】
【技術分野】
【０００１】
本発明は、電子タグ書き込みシステム及びその方法に関するものである。
【背景技術】
【０００２】
周知のように、電子タグ（ＲＦタグ、ＩＣタグ、ＲＦラベル等ともいわれる）は、情報の記憶及び読み出しを近距離無線通信により非接触で行うためにＩＣチップとこれに接続されたアンテナとを有するものである。また、電子タグは対象物に貼付するために裏面が粘着面となっているものや、粘着面がなく、紐等により商品に付加されるものが一般的である。ＲＦＩＤ（Radio frequency identification）は、このような電子タグを利用し、電子タグに対する対象物に関する情報の書き込み、及び電子タグに記憶された情報の読取りを、無線通信により行う自動認識システムである。
【０００３】
電子タグは、様々な検討及び提案がなされており、実現しているものもあれば、実現していないものもある。例えば、電子タグは、バーコード等の光学的に読取可能なタグに代わるものとして商品の個品管理への応用が期待されているが、コンビニエンスストア等のように単価の安い小売業での利用は、わが国では実現に至っていない。この主な原因は、電子タグの単価が高いことにあるが、読み取り精度の問題（商品の内容物に含まれる水や金属製商品容器等による電波の遮断）や、個別商品に対する電子タグの書き込み技術の未完成等も、普及の足かせになっている。
【０００４】
このうち、電子タグの書き込み技術については、一定の商品に対する電子タグに、一定の情報（例えば、製造情報、トラック積載情報、在庫情報、販売情報、ロス情報、配送情報、消費期限情報、消費情報）を書き込む技術は提案されている（例えば特許文献１〜４参照）。
【０００５】
しかし、一定の情報が書き込まれた電子タグを商品に付ける手法を用いて、商品の個品管理を実現するには、ほぼすべての商品でソースタギング（メーカーが商品に電子タグを付けること）がなされる必要があり、その環境整備には多大な時間が必要である。
【０００６】
また、それが可能になったとしても、小売店側で対象物ごとに異なる情報を書き込んだ電子タグを付ける要望には対応できない。すなわち、小売店で電子タグを付ける場合、種類（大きさ、包装等）、数量等がばらばら（少量多品種）の商品に対して、個々に異なる情報を書き込んだ電子タグを付ける必要があるが、これを手作業で行うことは現実的でない上、これを自動で行う装置も提供されていないのが現状である。もちろん、小売店以外でも、少量多品種製造のメーカー等であれば、小売店と同様の要望が存在することはいうまでもない。
【先行技術文献】
【特許文献】
【０００７】
【特許文献１】特開２００５−１０４５２１号公報
【特許文献２】特開２００７−０９１２４６号公報
【特許文献３】特開２００７−０９１２９８号公報
【特許文献４】特開２００８−０４４６６１号公報
【特許文献５】特開２００８−６２９６５号公報
【発明の概要】
【発明が解決しようとする課題】
【０００８】
そこで、本発明の主たる課題は、対象物に応じて異なる情報を電子タグに書き込む技術を提供することにある。
【課題を解決するための手段】
【０００９】
上記課題を解決した電子タグ書き込みシステム及びその方法は以下のとおりである。
＜第１の態様＞
書き込み情報を電子タグに書き込む書き込み装置と、
電子タグと紐づけされる対象物に関する書き込み情報及び処理順が関連付けて記憶された記憶部から、前記書き込み情報及び前記処理順を読み出す情報取得部と、を備え、
前記情報取得部により取得した前記処理順に従って、その処理順と関連付けられた前記書き込み情報を、前記書き込み装置により電子タグに書き込む、
ことを特徴とする、電子タグ書き込みシステム。
【００１０】
（作用効果）
本電子タグの書き込みシステムでは、電子タグと紐づけされる対象物に関する書き込み情報を取得し、対応する電子タグに対し書き込みを行うため、対象物に応じて異なる情報を電子タグに書き込むことができる。例えば、小売店で電子タグを貼付する場合、種類（大きさ、包装等）、数量等がばらばら（少量多品種）の入荷商品に電子タグを付属させるにあたり、対象物に応じて異なる情報を電子タグに書き込むことができる。
また、記憶部から読み出した処理順に従って、その処理順と関連付けられた書き込み情報を電子タグに書き込むため、定まった順序で処理さ（取り扱わ）れる複数種の対象物に対して電子タグを付属させる場合に、対象物に応じて異なる情報を自動的に書き込むことができる。
【００１１】
＜第２の態様＞
前記対象物の生産及び物流の過程で、その過程にある前記対象物の処理順及び各対象物の書き込み情報が、前記記憶部に記憶される、
第１の態様の電子タグ書き込みシステム。
【００１２】
（作用効果）
対象物の生産及び物流の過程で、対象物の処理順及び各対象物の書き込み情報が定まるため、それに応じて対象物の処理順及び各対象物の書き込み情報を記憶部に記憶すること望ましい。
【００１３】
＜第３の態様＞
前記書き込み装置に対して、電子タグを順次供給するタグ供給部を備え、
前記対象物の生産及び物流における第１の過程で、その過程にある前記対象物の処理順及び各対象物の書き込み情報が取得されて前記記憶部に記憶され、
前記第１の過程よりも下流側における、前記処理順で前記対象物を処理する第２の過程で、前記処理順に従って前記処理順と関連付けられた前記書き込み情報を前記書き込み装置により順次電子タグに書き込む、
第１又は２の態様の電子タグ書き込みシステム。
【００１４】
（作用効果）
本システムでは、例えば対象物の生産設備における対象物の移送過程や検品過程、対象物の物流における搬送過程等のように、一定の順序で対象物を処理（取り扱う）する第１の過程で、その処理順及び対象物の書き込み情報を、予め記憶部に記憶しておき、その後、その処理順で対象物を処理する第２の過程で、その処理順に従い電子タグへの書き込みを順次行う。このため、書き込み後の電子タグを順次対象物に付属させることにより、自動的に対象物に応じて異なる情報が書き込まれた電子タグを対象物に付属させることができる。
【００１５】
＜第４の態様＞
電子タグを順次供給するタグ供給部と、
前記タグ供給部から供給される電子タグを、前記対象物に付属させるタグ付属部とを備え、
前記対象物の生産及び物流における第１の過程で、その過程にある前記対象物の処理順及び各対象物の書き込み情報が取得されて前記記憶部に記憶され、
前記対象物の生産及び物流における第２の過程で、タグ付属部により前記対象物に前記電子タグを付属させ、
前記第１の過程及び第２の過程よりも下流側における、前記処理順で前記対象物を処理する第３の過程で、前記処理順に従って前記処理順と関連付けられた前記書き込み情報を前記書き込み装置により順次前記対象物に付属した電子タグに書き込む、
第１又は２の態様の電子タグ書き込みシステム。
【００１６】
（作用効果）
本システムでは、例えば対象物の生産設備における対象物の移送過程や検品過程、対象物の物流における搬送過程等のように、一定の順序で対象物を処理（取り扱う）する第１の過程で、その処理順及び対象物の書き込み情報を、予め記憶部に記憶しておく。また、これと同時並行若しくはその前後の第２の過程で、電子タグを対象物に付属させる。その後、その処理順で対象物を処理する第３の過程で、その処理順に従い対象物に付属した電子タグへの書き込みを順次行う。これにより、自動的に対象物に応じて異なる情報が書き込まれた電子タグを対象物に付属させることができる。
より具体的には、物流センターから小売店等の商品搬入先に、種類（大きさ、包装等）、数量等がばらばら（少量多品種）の商品を搬送する際、物流センターで記憶部に対する処理順及び書き込み情報の記憶、及び電子タグの付属を行い、商品の搬入先で電子タグへの書き込みを行うといったことが可能となる。なお、タグ付属部では、対象物一つごとに電子タグの付属及び書き込みを行うほか、一度に処理する対象物のすべてに電子タグを付属させた後、各対象物に付属する電子タグに順に書き込みを行うこともできる。
【００１７】
＜第５の態様＞
電子タグの供給部及び電子タグの付属部を備えず、
前記対象物の生産及び物流における前記処理順で前記対象物を処理する過程で、前記情報取得部により取得した前記処理順に従って、その処理順と関連付けられた前記書き込み情報を、前記書き込み装置により対象物に付属の電子タグに書き込む、
第１又は２の態様の電子タグ書き込みシステム。
【００１８】
（作用効果）
本電子タグ書き込みシステムは、電子タグを供給して対象物に付属させることは行わず、電子タグに書き込み情報を書き込むだけのシステムである。より具体的には、生産者から小売店等に、種類（大きさ、包装等）、数量等がばらばら（少量多品種）の商品を搬送する際、生産者が商品や、その容器又は包装に未書き込みの電子タグを付属させて商品を出荷し、小売店又はその物流センターで、定まった順序で商品を取り扱う過程で、対象物に応じて異なる情報を自動的に書き込むことができる。
【００１９】
＜第６の態様＞
電子タグと紐づけされる対象物に関する書き込み情報及び処理順が関連付けて記憶された記憶部から、前記書き込み情報及び前記処理順を読み出すステップと、
読み出した前記処理順に従って、その処理順と関連付けられた前記書き込み情報を電子タグに書き込む、
ことを特徴とする、電子タグ書き込み方法。
【００２０】
（作用効果）
第１の態様と同様の作用効果を奏する。
【発明の効果】
【００２１】
本発明によれば、対象物に応じて異なる情報を電子タグに書き込むことが可能となる、等の利点がもたらされる。
【図面の簡単な説明】
【００２２】
【図１】電子タグ書き込みシステムの概略図である。
【図２】電子タグ書き込みシステムの概略図である。
【図３】電子タグ書き込みシステムの概略図である。
【図４】電子タグ書き込みシステムの概略図である。
【図５】電子タグ書き込みシステムの概略図である。
【図６】電子タグ書き込みシステムの概略図である。
【図７】電子タグ書き込みシステムの概略図である。
【図８】制御部の構成図である。
【図９】電子タグの例を示す（ａ）平面図、（ｂ）側面図、（ｃ）底面図、（ｄ）平面図、（ｅ）側面図、（ｆ）底面図である。
【図１０】電子タグを貼付した対象物を示す斜視図である。
【図１１】電子タグ書き込みシステムを概略的に示す正面図である。
【図１２】電子タグ書き込みシステムを概略的に示す側面図である。
【図１３】タグ供給部の例を示す正面図である。
【図１４】電子タグの受け渡し部を示す正面図である。
【図１５】電子タグ書き込みシステムの要部を概略的に示す正面図である。
【図１６】電子タグ書き込みシステムの要部を概略的に示す正面図である。
【図１７】電子タグ書き込みシステムの要部を概略的に示す正面図である。
【図１８】電子タグ書き込みシステムの要部を概略的に示す正面図である。
【図１９】電子タグ書き込みシステムの要部を概略的に示す正面図である。
【図２０】電子タグ書き込みシステムを概略的に示す側面図である。
【図２１】電子タグ書き込みシステムを概略的に示す側面図である。
【図２２】タグ供給部の例を概略的に示す正面図である。
【図２３】電子タグ書き込みシステムの要部を概略的に示す正面図である。
【図２４】制御の一例を示すフローチャートである。
【発明を実施するための形態】
【００２３】
＜基本的事項＞
図１〜図７は、電子タグ書き込みシステム１の代表的な例を示している。これらの電子タグ書き込みシステム１は、書き込み情報を電子タグ１０に書き込む書き込み装置６０と、電子タグ１０と紐づけされる対象物５０に関する書き込み情報を取得する、情報取得部７０と、情報取得部７０により取得した書き込み情報を、対応する電子タグ１０に対し書き込み装置６０により書き込む制御部９０とを備えている。
【００２４】
したがって、本電子タグ書き込みシステム１では、電子タグ１０と紐づけされる対象物５０に関する書き込み情報を取得し、対応する電子タグ１０に対し書き込みを行うため、対象物５０に応じて異なる情報を電子タグ１０に書き込むことができる。例えば、小売店で電子タグ１０を貼付する場合、種類（大きさ、包装等）、数量等がばらばら（少量多品種）の入荷商品に電子タグ１０を付属させるにあたり、対象物５０に応じて異なる情報を電子タグ１０に書き込むことができる。
【００２５】
（制御部）
制御部９０は、システムを動作させるために、必要に応じて情報の入出力や演算を行いつつシステムの構成要素と通信を行い、各構成要素を制御するものである。したがって、制御部は、入出力装置、演算装置、通信装置、記憶装置等を有するものとすることができる。このような制御部９０は、シーケンサ（ＰＬＣ）やコンピュータ（ＰＣ、マイクロコントローラ）等の公知の産業用制御装置を単独で用いて、又は機能等に応じて複数組み合わせて構成することができる。例えば後述する応用例の場合、コンベヤ、センサやロボット等の基本制御及びインターフェースはシーケンサにより実現し、情報処理やそれに基づくシーケンサに対する指令（モード設定やパラメータ設定、動作開始の指示等）はコンピュータで実現する構成とすることができる。
【００２６】
図８に示すように、制御部９０は、作業員による入力を行うための入力装置８１を備え、この入力に応じてシステムの各種動作（情報取得、書き込み等）を行うことができる。入力装置８１は、キーボードやマウス、又は専用のスイッチとすることができる。作業員が処理を選択するために、処理を実行するためのボタン等のグラフィカルユーザーインターフェースを表示する表示装置８２を備えているのも好ましい。この場合、入力装置８１と表示装置８２とが一体化されたタッチパネルを備え、表示装置８２に表示された連続処理を実行するためのボタン等をタッチすることにより処理の選択入力を行うようになっていると特に好ましい。また、図示しないが、制御部９０に対して、表示装置８２及び入力装置８１を有するスマートフォン等の携帯端末を、制御部９０に対してネットワークや近距離無線通信、又は有線通信により接続可能とし、この携帯端末の表示装置８２及び入力装置８１を利用して、処理の選択を行うように構成することもできる。
【００２７】
（電子タグ）
電子タグ１０は、対象物に付属するものであれば、その形状、構造は特に限定されるものではなく、公知の電子タグ１０を適宜使用することができる。電子タグ１０は、例えば、値札、荷札等のように対象物に外的に付加されるものの他、対象物の容器、蓋、包装箱、搬送用段ボール箱に内蔵されるものであってもよい。対象物に外的に付加される電子タグ１０は、粘着面や紐、タグピン等により対象物に固定又は連結されていてもよいが、対象物とともに処理さ（取り扱わ）れる限り、対象物に固定又は連結されておらず、自由に移動可能なものであってもよい。
【００２８】
例えば、粘着面を有するタイプの電子タグ１０の形状は、図９（ａ）〜（ｃ）示す例や、図９（ｄ）〜（ｆ）示す例のように角をとった長方形のものが一般的であるが、これに限定されるものではない。また、電子タグ１０の代表的なものの一つは、例えば図９（ｃ）（ｆ）に示すように、インレット１０ａ，１０ｉとしてＩＣチップ１０ｉとこれに接続されたアンテナ１０ａとを有するパッシブタイプの電子タグ１０であるが、これに限定されるものでもない。
【００２９】
電子タグ１０は、通信品質の低下を防止するために、少なくともアンテナ１０ａの一部を貼付対象物５０から離間させることが望ましい。このため、粘着面１１を有する電子タグ１０の場合、図９（ｄ）〜（ｆ）に示すように、電子タグ１０のアンテナ１０ａを含む一部分を折り位置１０ｐで折り畳み、粘着面１１同士を貼り合わせた粘着不能化部分１２と、粘着面１１が露出する残粘着部分１３とを形成し、残粘着部分１３の粘着面１１により対象物５０に貼付することができる。このような電子タグ１０の折り畳みは、後述するようにタグ供給部２０を備える場合には、タグ供給部２０内の機構により行ってもよい（例えば特許文献５参照）し、予め一部が折り畳まれた電子タグ１０を本電子タグ書き込みシステム１に供給してもよい。
【００３０】
（書き込み情報）
電子タグ１０に対する書き込み情報は、電子タグ１０と紐づけされる対象物５０に関する情報であって、対象物５０に応じて異なる情報を含む。この限りにおいて、書き込み情報は特に限定されないが、対象物５０の個別情報５１の一部又は全部を含むのは好ましい。個別情報５１は、対象物５０を他の物と識別するための識別情報の他、その対象物５０を他の物と識別することはできないが、その対象物５０の特徴や性質等を表す属性情報の両方を含む。識別情報としては、商品コードやシリアルナンバー、製品番号、ロット番号等を例示することができる。また、属性情報としては、出荷順、製造年月日、消費期限、商品名等の商標の他、商品や包装の色、さらには商品重量等を例示することができる。また、書き込み情報は、識別情報や属性情報以外の付属情報を含むことができる。付属情報としては、製造に要した時間等の時間情報、製造時の気温等の温度情報、製造時の湿度等の湿度情報、占いやくじの当り外れ等に関する乱数情報等を例示することができる。
【００３１】
対象物５０の個別情報５１や属性情報は、図１０に示すように、一次元コードや二次元コードとして、又はそのままの文字や絵等として対象物５０に印刷等により付加されている情報であると、対象物５０から容易に取得できるため好ましいが、これに限定されるものではない。
【００３２】
（情報取得部）
情報取得部７０は、書き込み情報の一部又は全部を、対象物５０から取得可能な一次情報とすることができる。これにより、書き込み情報の準備がより正確で、より容易となる。例えば、情報取得部７０は、対象物５０から個別情報５１を検出する個別情報センサ７１を含むことができる。
【００３３】
個別情報センサ７１は、対象物５０からその個別情報５１を検出できるものである限り、特に限定されるものではない。例えば、個別情報センサ７１は、コードリーダ、光学的文字読取装置、カラーセンサ、重量センサ、磁気センサ、音声認識センサ等の少なくとも一つとすることができる。個別情報センサ７１が一次元コードや二次元コード等のコードリーダである場合、その読取情報を書き込んだ電子タグ１０をその対象物５０に付属させることができる。よって、例えば小売事業者が、販売商品にこのような電子タグ１０を付属させることにより、レジ・検品・棚卸業務や、防犯ゲートを用いた万引防止等における商品識別を、非接触で多数の商品をまとめて一度に行うことができる。また、個別情報センサ７１が光学的文字読取装置である場合、対象物５０(通常は商品外装又は商品自体)に付された、商品サイズや商品の色、内容量、製造日や消費期限等の表記を読み取り、その読取情報を書き込んだ電子タグ１０をその対象物５０に付属させることができる。さらに、個別情報センサ７１がカラーセンサである場合には、対象物５０の色に関する情報を書き込んだ電子タグ１０をその対象物５０に付属させることができ、個別情報センサ７１が重量センサである場合、対象物５０の重量に関する情報を書き込んだ電子タグ１０をその対象物５０に付属させることができる。よって、例えば小売事業者が、販売商品にこれらの電子タグ１０を付属させることにより、通常付される一次元コードや二次元コードに含まれない個別情報５１に基づいて商品管理を行うことができる。
【００３４】
個別情報センサ７１が磁気センサである場合、チケット、小切手（ＭＩＣＲ）、通帳、クレジットカード等の磁気ストライプ付き対象物の磁気記録情報を読み取り、その読取情報を書き込んだ電子タグ１０をその対象物５０に付属させることができる。
【００３５】
個別情報センサ７１がマイク及び音声認識システムからなる音声認識センサである場合、作業員が対象物の個別情報を視認し、発声することにより、個別情報を認識し、その認識情報を書き込んだ電子タグ１０をその対象物５０に付属させることができる。
【００３６】
個別情報センサ７１による検出対象は、少なくとも識別情報を含むことが好ましく、識別情報と属性情報の両方を含むとより好ましい。
【００３７】
コードリーダ、光学的文字読取装置、及びカラーセンサは、ＣＣＤイメージセンサやＣＭＯＳイメージセンサ等の撮像センサ（イメージセンサ）を用いて実現することが好ましい。撮像センサを用いた方式では、広範囲の検出が可能になるだけでなく、複数種類の検出対象を検出する多目的リーダとして活用することができる。つまり、この場合、検出対象別にセンサを設けることなく、一つのセンサで一次元コード又は二次元コード、文字及び色を検出することも可能となる。もちろん、個別情報センサ７１はイメージセンサに限られるものではなく、例えばコードリーダの場合にはレーザスキャン方式等の公知の各種センサを用いることができる。
【００３８】
個別情報センサ７１は、対象物５０の生産、物流の過程で使用されるコンベヤに設置するか、又は個別情報センサ７１を備えたコンベヤを増設し、コンベヤにより搬送中の対象物５０から個別情報５１を検出すると好ましい。
【００３９】
個別情報センサ７１をハンディタイプ装置（ハンディタイプコードリーダ等）とし、対象物５０の搬入、搬出、陳列等の際に、作業員がこれを手で持って対象物５０にかざすことにより、複数の対象物５０の個別情報５１を順次検出することもできる。また、個別情報センサ７１を据置きタイプの装置とし、対象物５０の搬入、搬出、陳列等の際に、作業員が対象物５０を手で持って据置きタイプの個別情報センサ７１にかざすことにより、複数の対象物５０の個別情報５１を順次検出することもできる。
【００４０】
情報取得部７０が個別情報センサ７１を含む場合、情報取得部７０はデジタルカメラ、マイク等の個別情報センサ７１を備えたコンピュータ（ＰＣ、マイクロコントローラ、タブレット端末、スマートフォン）により構成することができる。
【００４１】
（記憶部）
情報取得部７０は、書き込み情報の全部を対象物５０から取得するのではなく、書き込み情報等が記憶された記憶部８０から読み出すことができる。また、情報取得部７０は、書き込み情報の一部を対象物５０から取得するとともに、残りを記憶部８０から読み出すことができる。
【００４２】
記憶部８０は、制御部９０に内蔵又は外付けされたハードディスク、ＳＳＤ等の記憶装置とする他、ローカルネットワークやインターネットを介して接続されたネットワークアクセスストレージ、クラウドストレージ、その他のストレージサーバ、データベースサーバとすることができる。記憶部８０は、ＰＯＳシステム等の物流システム、生産管理システム等の記憶部８０であったり、又はそれら別システムの記憶部８０の情報から複製された情報や、その情報に変更や付加を行った情報を含むものであったりしてもよい。この場合、対象物５０の生産及び物流の過程で、その過程にある対象物５０の処理順及び各対象物５０の書き込み情報が、記憶部８０に記憶されることとなる。また、対象物５０の生産及び物流の過程で、個別情報センサ７１等により取得される一次情報の一部又は全部、並びに取得した一次情報に基づいて取得される二次情報の少なくとも一方に基づいて、その過程にある対象物５０の処理順及び各対象物５０の書き込み情報を、記憶部８０に記憶することもできる。
【００４３】
記憶情報が複数種ある場合にはその種類別に記憶部８０を設ける他、すべての記憶情報を記憶する単一の記憶部８０を設けることもできる。例えば後述する応用例の場合、書き込み情報及び貼付位置情報は、図示例では単一の記憶部８０に記憶することを想定しているが、これに限られるものではない。
【００４４】
情報取得部７０が記憶部８０から書き込み情報を読み出す場合、情報取得部７０は、コンピュータ（ＰＣ、マイクロコントローラ、タブレット端末、スマートフォン）により構成することができ、マウス、キーボード、タッチパネル等の入力装置を含むことができる（つまり制御部９０と同様とすることができる）。
【００４５】
記憶部８０は、対象物５０の識別情報及びこれに関連付けられた書き込み情報を記憶するものであり、情報取得部７０は、個別情報センサ７１により読み出される識別情報に基づいて、又はマウス、キーボード、タッチパネル等の入力装置８１により入力される識別情報に基づいて、記憶部８０から書き込み情報を読み出すものであってもよい。つまり、書き込み情報は、対象物５０から取得される一次情報に基づいて取得される二次情報を含むものであってもよい。例えば、商品に貼付する電子タグ１０であれば、前述した一次元コード等の識別情報を個別情報センサ７１により検出し、制御部９０がその検出結果に基づいて、識別情報と商品名や消費期限等の属性情報とが関連付けて記憶された記憶部８０から属性情報を取得し、取得した属性情報のみ又はこれと識別情報とを一緒に書き込み情報として電子タグ１０に書き込むことができる。
【００４６】
また、情報取得部７０が記憶部８０から書き込み情報を読み出す場合、情報取得部７０は、入力装置等により、記憶部８０から一つ又は複数の書き込み情報を選択し、一つずつ又は複数連続的に書き込み情報を読み出すものであってもよい。
【００４７】
特に連続的に書き込み情報を読み出す場合、記憶部８０に、対象物５０の書き込み情報及び処理順が関連付けて記憶されていると、情報取得部７０が、記憶部８０から処理順に従って、その処理順と関連付けられた書き込み情報を読み出し、その読み出した書き込み情報記を書き込み装置６０により電子タグ１０に書き込むことができる。
【００４８】
（書き込み装置）
書き込み装置６０は、電子タグ１０に対する書き込みが可能なもの（いわゆるリーダライタ）であり、その設置位置等は適宜定めることができる。例えば、電子タグ１０に対して一定の距離から書き込みを行う場合には、書き込み装置６０は、電子タグ１０の移動経路に固定設置し、移動中又は移動の一時停止中の電子タグ１０に順次書き込みを行うことができる。この場合、電子タグ１０は対象物５０に付属された後のものでも、対象物５０に付属する前のものでもよい。前者の場合、例えば対象物５０を搬送するコンベヤに書き込み装置６０を設置することができ、後者の場合、例えばタグ供給部２０に書き込み装置６０を設置することができる。
【００４９】
電子タグ１０に対し、書き込み装置６０を近付けて書き込みを行う場合には、書き込み装置６０をハンディタイプ装置（ハンディタイプコードリーダ等）とし、対象物５０の搬入、搬出、陳列等の際に、作業員がこれを手で持って電子タグ１０にかざすことにより、複数の電子タグ１０に対して順次書き込みを行うことができる。書き込み装置６０をロボット４０に取付け、ロボット４０を制御して書き込み装置６０を電子タグ１０に対して近付け、書き込みを行うこともできる。
【００５０】
また、書き込み装置６０を据置きタイプの装置とし、対象物５０の搬入、搬出、陳列等の際に、作業員が対象物５０を手で持って据置きタイプの書き込み装置６０にかざすことにより、複数の電子タグ１０に順次書き込みを行うこともできる。
【００５１】
書き込み装置６０による書き込み処理は、公知の方法を特に限定なく採用することができる。
【００５２】
（タグ付属部）
本電子タグ書き込みシステム１で電子タグ１０を対象物５０に付属させるために、タグ付属部を配備することができる。タグ付属部は、粘着面１１を有する電子タグ１０の場合には、後述する応用例のロボット４０や、その他の公知の貼付装置（ラベラー）を採用することができる。タグ付属部は、作業員が手にもって対象物５０に押し付けることにより電子タグ１０の貼付を行うハンディタイプの貼付装置（ハンディラベラー）であってもよい。粘着面１１を有しない電子タグ１０の場合、タグ付属部は、紐やタグピン等を介して電子タグ１０を衣類等の対象物５０に取り付けるタグ付け装置であったり、商品の包装箱内に電子タグ１０を投入する投入装置であったりしてもよい。
【００５３】
（ロボット）
ロボット４０としては、少なくとも水平方向の運動と、垂直方向の運動が可能な自由度が２以上のものであればよいが、コンベヤ３０上の対象物５０の位置が不規則な場合等に対応するために、Ｘ軸方向、Ｙ軸方向、Ｚ軸方向、及びＺ軸を中心とする回転方向の運動が可能なように自由度が４以上のロボット４０が好適である。これにより、図１０（ａ）（ｃ）に示すように、対象物５０の上面に対してあらゆる向きで電子タグ１０を貼付することができる。また、６以上の自由度のロボット４０を用いると、対象物５０の上面だけでなく、図１０（ｂ）に示すように、側面にも電子タグ１０を貼り付けることができる。したがって、対象物５０に応じて、商品に影響しにくい位置や、通信品質が低下しにくい位置に、電子タグ１０を貼付することができる。ロボット４０としては、図示例のようなパラレルリンクロボットだけでなく、垂直多関節ロボット、水平多関節ロボット、直交ロボット等、公知の産業用ロボットを用いることができる。
【００５４】
（タグ供給部）
本電子タグ書き込みシステム１内に電子タグ１０を供給するために、タグ供給部２０を配備することができる。タグ供給部２０は、電子タグ１０を書き込み装置６０又はタグ付属部に対して順次供給するものであり、その限りにおいて、公知のあらゆる供給機構（例えば特許文献１〜５記載のもの等）を採用することができる。例えば、粘着面１１を有する電子タグ１０を供給する場合、電子タグ１０が繰り返し貼付された帯状の剥離シート１６から電子タグ１０を順次剥離して供給するタグ供給部２０を用いることができる。粘着面１１を有しない電子タグ１０を供給する場合、電子タグ１０となる単位部分が繰り返し続く帯状材を、各単位部分の境界で切り離す又は打ち抜くことにより、電子タグ１０を順次形成して供給するタグ供給部２０を用いることができる。タグ供給部２０はタグ付属部の機器に内蔵されていてもよい
【００５５】
（機器構成）
本電子タグ書き込みシステム１では、構成要素のすべてが一つの機器として一体化されていてもよいし、一つ又は複数の構成要素からなる機器が複数組み合わされたシステムであってもよい。特に情報取得部７０、制御部９０、記憶部８０等の構成要素のように、一つの機器上にハードウェア又はソフトウェアの組合せとして構築できるものは、一部又はすべてを一つの機器上に構築することが好ましい。また、構成要素の一部又は全部は、システムとして連動するために、有線又は無線で一方向又は双方向に通信（ネットワークを介しないものの他、ネットワークを介するものを含む）可能とすることができる。さらに、構成要素の一部は、他の構成要素から独立して動作するものであってよい。
【００５６】
本電子タグ書き込みシステム１は、全体として一つのハンディタイプの機器であっても、机上に設置できる程度、又は小売店のレジスター程度の据置きタイプの機器であってもよい。また、後述する応用例のように、コンベヤやロボット４０を含む、より大きな機器であってもよい。また、本電子タグ書き込みシステム１が複数の機器で構成される場合、各機器は、それぞれ一つのハンディタイプの機器であっていても、机上に設置できる程度、又は小売店のレジスター程度の据置きタイプの機器であっても、それ以上の大きさの機器であってもよい。
【００５７】
以下、機器構成等の具体例について説明する。
＜第１の例＞
図１は、電子タグ書き込みシステム１の第１の例を示している。本例は、書き込み装置６０と、この書き込み装置６０に対して電子タグ１０を供給するタグ供給部２０と、情報取得部７０とを有し、情報取得部７０により取得した書き込み情報を、タグ供給部２０から供給される電子タグ１０に対し書き込み装置６０により書き込むものである。したがって、本例のシステムでは、対象物５０に応じて異なる情報が書き込まれた電子タグ１０を自動的に順次作製することができる。
【００５８】
第１の例において、情報取得部７０は、前述したいずれのものであってもよいが、図１（ａ）に示す例は個別情報センサ７１を備え、個別情報センサ７１により検出した個別情報５１を含む書き込み情報を、電子タグ１０に書き込むものである。一方、図１（ｂ）に示す例の情報取得部７０は、記憶部８０から書き込み情報を読み出すものとなっている。図１（ｃ）に示す例は両者の情報取得部７０を組合せ、個別情報センサ７１により検出した個別情報５１と、この個別情報５１に基づいて、記憶部８０から読み出した２次情報とを書き込み情報として、電子タグ１０に書き込むものである。
【００５９】
第１の例では、電子タグ１０は対象物５０に外的に付加されるものとなる。よって、後述する応用例等のように、書き込み装置６０により書き込みが完了した電子タグ１０を、対象物５０に付属させるタグ付属部を有することが好ましいが、作業員が手作業で電子タグ１０を対象物５０に付属させてもよい。なお、ここにいう付属には、対象物５０に固定又は連結することのほか、対象物５０の包装内に入れるだけのことも含む。
【００６０】
第１の例のシステムは、例えば図１（ａ）（ｃ）に示す例のように、全体を据置きタイプの１つの機器Ｅ０とすることができる。この場合、機器Ｅ０に対する入力に応じて、又は情報取得部７０で書き込み情報を取得するたび、自動で電子タグ１０への書き込みを行うことができる。
【００６１】
また、図１（ｂ）に示す例のように、記憶部８０以外を据置きタイプの第１の機器Ｅ１とし、記憶部８０を第２の機器Ｅ２とし、第１の機器Ｅ１の情報取得部７０が第２の機器Ｅ２の記憶部８０から読み出しを行う構成とすることができる。この場合、第２の機器Ｅ２に対する処理開始入力に応じて順次、情報取得部７０が書き込み情報を取得するとともに、電子タグ１０への書き込みを行うことができる。
【００６２】
これらの例で、対象物５０への電子タグ１０の付属を作業員が手作業で行う場合には、書き込み装置６０を有する機器に電子タグ１０の排出部又は受渡部を設け、そこから作業員が電子タグ１０を受け取り、対象物５０に付属させることができる。
＜第２の例＞
図２は、電子タグ書き込みシステム１の第２の例を示している。本例は、電子タグ１０を対象物５０に付属させるタグ付属部と、これに電子タグ１０を供給させるタグ供給部２０とを有し、書き込み装置６０は、対象物５０に付属した電子タグ１０に、情報取得部７０により取得した書き込み情報を書き込むものである。本電子タグ書き込みシステム１では、例えば、小売店等で、種類（大きさ、包装等）、数量等がばらばら（少量多品種）の入荷商品に、未書き込みの電子タグ１０を付属させた後、その電子タグ１０に書き込み情報を書き込むことができる。この場合、対象物５０一つごとに電子タグ１０の付属及び書き込みを行うほか、一度に処理する対象物５０のすべてに電子タグ１０を付属させた後、各対象物５０に付属する電子タグ１０に順に書き込みを行うこともできる。
【００６３】
第２の例において、情報取得部７０は、前述したいずれのものであってもよいが、図２（ａ）に示す例は個別情報センサ７１を備え、個別情報センサ７１により検出した個別情報５１を含む書き込み情報を、電子タグ１０に書き込むものである。一方、図２（ｂ）に示す例の情報取得部７０は、記憶部８０から書き込み情報を読み出すものとなっている。図２（ｃ）に示す例は両者の情報取得部７０を組合せ、個別情報センサ７１により検出した個別情報５１と、この個別情報５１に基づいて、記憶部８０から読み出した２次情報とを書き込み情報として、電子タグ１０に書き込むものである。
【００６４】
第２の例のシステムは、例えば図２（ａ）に示す例のように、全体を据置きタイプの１つの機器Ｅ０とすることができる。この場合、後述する応用例と同様に、コンベヤにより対象物５０を搬送しながら、対象物５０に対する電子タグ１０の付属、その後（前でもよい）における個別情報センサ７１による書き込み情報の取得、及び書き込み装置６０による書き込みを自動で行うことができる。
【００６５】
図２（ｂ）に示す例のように、タグ付属部及びタグ供給部２０を据置きタイプの第１の機器Ｅ１とし、情報取得部７０、制御部９０、書き込み部及び記憶部８０を据置き第２の機器Ｅ２とすることもできる。この場合、作業員は第１の機器Ｅ１を操作して対象物５０に対する電子タグ１０の付属を行った後、第２の機器Ｅ２を操作して情報取得及び書き込みを行うことができる。この例は、第１の機器Ｅ１及び第２の機器Ｅ２を離して設置できるという利点がある。
【００６６】
また、図２（ｃ）に示すように、タグ付属部及びタグ供給部２０をハンディタイプ又は据置きタイプの第１の機器Ｅ１とし、情報取得部７０、制御部９０、書き込み部をハンディタイプの第２の機器Ｅ２とし、記憶部８０を据置きタイプの第３の機器Ｅ３とすることもできる。この場合、作業員は第１の機器Ｅ１を操作して対象物５０に対する電子タグ１０の付属を行う。その一方で、作業員は対象物５０に第２の機器Ｅ２の個別情報センサ７１にかざすことにより対象物５０の個別情報５１を検出し、これに基づいて第２の機器Ｅ２の情報取得部７０で第３の機器Ｅ３の記憶部８０から情報取得を行い、書き込み情報を作成した後、第２の機器Ｅ２の書き込み装置６０を対象物５０にかざし、対象物５０に付属した電子タグ１０に書き込みを行うことができる。
【００６７】
＜第３の例＞
図３は、電子タグ書き込みシステム１の第３の例を示している。本例は、タグ供給部２０及びタグ付属部を備えず、対象物５０に予め付属する電子タグ１０に書き込みを行う点が第２の例と異なるものである。例えば、生産者が商品や、その容器又は包装に未書き込みの電子タグ１０を付属させて商品を出荷する場合、小売店が本システムを使用することにより、入荷商品に付属する電子タグ１０に書き込みを行うことができる。
【００６８】
第３の例において、情報取得部７０は、前述したいずれのものであってもよいが、図３（ａ）に示す例は個別情報センサ７１を備え、個別情報センサ７１により検出した個別情報５１を含む書き込み情報を、電子タグ１０に書き込むものである。一方、図３（ｂ）に示す例の情報取得部７０は、記憶部８０から書き込み情報を読み出すものとなっている。図３（ｃ）に示す例は両者の情報取得部７０を組合せ、個別情報センサ７１により検出した個別情報５１と、この個別情報５１に基づいて、記憶部８０から読み出した２次情報とを書き込み情報として、電子タグ１０に書き込むものである。
【００６９】
第３の例のシステムは、タグ付属部及びタグ供給部２０を備えないため、コンパクトなシステムに適している。例えば図３（ａ）に示す例のように、全体をハンディタイプの１つの機器Ｅ０とすることができる。この場合、作業員が機器Ｅ０を手に持ち、機器Ｅ０の個別情報センサ７１を対象物５０にかざすことにより対象物５０の個別情報５１を検出し、その個別情報５１を含む書き込み情報を作成した後、機器Ｅ０の書き込み装置６０を対象物５０に付属する電子タグ１０にかざして書き込みを行う構成とすることができる。
【００７０】
図３（ｂ）に示す例のように、記憶部８０以外をハンディタイプの第１の機器Ｅ１とし、記憶部８０を据置きタイプの第２の機器Ｅ２とすることもできる。この場合、作業員が第１の機器Ｅ１を操作し、第２の機器Ｅ２から情報取得を行い、書き込み情報を作成した後、第１の機器Ｅ１の書き込み装置６０を対象物５０に付属する電子タグ１０にかざして書き込みを行う構成とすることができる。
【００７１】
また、図３（ｃ）に示す例のように、記憶部８０以外を据置きタイプの第１の機器Ｅ１とし、記憶部８０を据置きタイプの第２の機器Ｅ２とすることもできる。この場合、作業員が対象物５０を手に持ち、第１の機器Ｅ１の個別情報センサ７１にかざすことにより対象物５０の個別情報５１を検出し、これに基づいて第１の機器Ｅ１の情報取得部７０で第２の機器Ｅ２の記憶部８０から情報取得を行い、書き込み情報を作成した後、第１の機器Ｅ１の書き込み装置６０に対象物５０をかざし、対象物５０の電子タグ１０に書き込みを行う構成とすることができる。
【００７２】
＜第４の例＞
図４は、電子タグ書き込みシステム１の第４の例を示している。本例は、記憶部８０に書き込み情報及び処理順が関連付けて記憶されており、情報取得部７０により記憶部８０から取得した処理順に従って、その処理順と関連付けられた書き込み情報を、書き込み装置６０により電子タグ１０に書き込む点が、第１の例と異なるものである。本例では、記憶部８０から読み出した処理順に従って、その処理順と関連付けられた書き込み情報を電子タグ１０に書き込むため、定まった順序で処理さ（取り扱わ）れる複数種の対象物５０に対して電子タグ１０を付属させる場合に、対象物５０に応じて異なる情報を自動的に書き込むことができる。
【００７３】
第４の例では、電子タグ１０は対象物５０に外的に付加されるものとなる。よって、後述する応用例等のように、書き込み装置６０により書き込みが完了した電子タグ１０を、対象物５０に付属させるタグ付属部を有することが好ましいが、作業員が手作業で電子タグ１０を対象物５０に付属させてもよい。なお、ここにいう付属には、対象物５０に固定又は連結することのほか、対象物５０の包装内に入れるだけのことも含む。
【００７４】
第４の例のシステムは、例えば図４に示す例のように、全体を据置きタイプの１つの機器Ｅ０とすることができる。この場合、機器Ｅ０に対して処理対象物５０（処理対象の範囲）を指定する入力を行い、情報取得部７０で必要な処理順及び書き込み情報を取得し、その処理順に従って、その処理順と関連付けられた書き込み情報を電子タグ１０に書き込むことができる。
【００７５】
＜第５の例＞
図５は、電子タグ書き込みシステム１の第４の例を示している。本例は、対象物５０の生産及び物流における第１の過程で、その過程にある対象物５０の処理順及び各対象物５０の書き込み情報が取得されて記憶部８０に記憶され、第１の過程よりも下流側における、処理順で対象物５０を処理する第２の過程で、処理順に従って処理順と関連付けられた書き込み情報を書き込み装置６０により順次電子タグ１０に書き込む点で、第４の例と異なる。
【００７６】
本システムでは、例えば対象物５０の生産設備における対象物５０の移送過程や検品過程、対象物５０の物流における搬送過程等のように、一定の順序で対象物５０を処理（取り扱う）する第１の過程Ｐ１で、その処理順及び対象物５０の書き込み情報を、予め記憶部８０に記憶しておき、その後、その処理順で対象物５０を処理する第２の過程Ｐ２で、その処理順に従い電子タグ１０への書き込みを順次行う。このため、書き込み後の電子タグ１０を順次対象物５０に付属させることにより、自動的に対象物５０に応じて異なる情報が書き込まれた電子タグ１０を対象物５０に付属させることができる。
【００７７】
第１の過程Ｐ１で対象物５０の処理順及び各対象物５０の書き込み情報を記憶部８０に記憶する場合、その記憶部８０が、図５（ａ）に示すように、既存システム（生産管理システム、物流システム等）の記憶部８０である場合や、既存システムの記憶部８０の情報から複製された情報や、その情報に変更や付加を行った情報を含む記憶部８０である場合、既存システムの稼働の結果として第１の過程Ｐ１で対象物５０の処理順及び各対象物５０の書き込み情報が記憶部８０に記憶されることとなる。また、図５（ｂ）に示すように、第１の過程Ｐ１の設備に個別情報センサ７１を設置し、個別情報センサ７１により検出される個別情報５１等の一次情報の一部又は全部、並びに取得した一次情報に基づいて取得される二次情報の少なくとも一方に基づいて、対象物５０の処理順及び各対象物５０の書き込み情報を取得し、記憶部８０に記憶することもできる。
【００７８】
第５の例のシステムは、例えば図５（ａ）に示すように、生産設備や物流設備の単一の搬送ラインＰ０に構築することもできる。また、図５（ｂ）に示すように、第１の過程Ｐ１を生産設備の出荷過程等とし、その設備に個別情報センサ７１、及び記憶部８０を設置し、第１の過程Ｐ１よりも下流側における、第１の過程Ｐ１と同じ処理順で対象物５０を処理する第２の過程Ｐ２を物流設備の搬入過程等とし、その設備に情報取得部７０、制御部９０及び書き込み装置６０を設置することもできる。図５に示す例は、いずれも、コンベヤ３０により対象物５０を搬送しながら処理を行うため、対象物５０の処理順が変化しないものとなっているが、第１の過程Ｐ１と、その下流側における電子タグ１０への書き込みを行う過程とで、連続的な搬送がなされる必要はない。
【００７９】
これら第５の例で、対象物５０への電子タグ１０の付属を作業員が手作業で行う場合には、書き込み装置６０を含む機器に電子タグ１０の排出部又は受渡部を設け、そこから作業員が電子タグ１０を受け取り、対象物５０に付属させることができる。
【００８０】
＜第６の例＞
図６は、電子タグ書き込みシステム１の第６の例を示している。本例は、電子タグ１０を対象物５０に付属させるタグ付属部と、これにタグを供給するタグ供給部２０とを備え、対象物５０の生産及び物流における第１の過程Ｐ１で、その過程にある対象物５０の処理順及び各対象物５０の書き込み情報が取得されて記憶部８０に記憶され、対象物５０の生産及び物流における第２の過程Ｐ２で、タグ付属部により対象物５０に電子タグ１０を付属させ、第１の過程Ｐ１及び第２の過程Ｐ２よりも下流側における、同一の処理順で対象物５０を処理する第３の過程Ｐ３で、その処理順に従ってその処理順と関連付けられた書き込み情報を書き込み装置６０により順次対象物５０に付属した電子タグ１０に書き込むものである。
【００８１】
本システムでは、例えば対象物５０の生産設備における対象物５０の移送過程や検品過程、対象物５０の物流における搬送過程等のように、一定の順序で対象物５０を処理（取り扱う）する第１の過程Ｐ１で、その処理順及び対象物５０の書き込み情報を、予め記憶部８０に記憶しておく。また、これと同時並行若しくはその前後の第２の過程Ｐ２で、電子タグ１０を対象物５０に付属させる。その後、その処理順で対象物５０を処理する第３の過程Ｐ３で、その処理順に従い対象物５０に付属した電子タグ１０への書き込みを順次行う。これにより、自動的に対象物５０に応じて異なる情報が書き込まれた電子タグ１０を対象物５０に付属させることができる。
【００８２】
より具体的には、物流センターから小売店等の商品搬入先に、種類（大きさ、包装等）、数量等がばらばら（少量多品種）の商品を搬送する際、物流センター（第１の過程、第２の過程）で記憶部８０に対する処理順及び書き込み情報の記憶、及び電子タグ１０の付属を行い、商品の搬入先（第３の過程）で電子タグ１０への書き込みを行うといったことが可能となる。なお、タグ付属部では、対象物５０一つごとに電子タグ１０の付属及び書き込みを行うほか、一度に処理する対象物５０のすべてに電子タグ１０を付属させた後、各対象物５０に付属する電子タグ１０に順に書き込みを行うこともできる。
【００８３】
第６の例における第１の過程Ｐ１で対象物５０の処理順及び各対象物５０の書き込み情報を記憶部８０に記憶する手法は、第５の例と同様である。
【００８４】
第６の例のシステムは、例えば図６（ａ）に示すように、生産設備や物流設備の単一の搬送ラインに構築することもできる。また、図６（ｂ）に示すように、第１の過程Ｐ１を生産設備の出荷過程等とし、その設備にタグ付属部、タグ供給部２０、個別情報センサ７１、及び記憶部８０を設置し、第１の過程Ｐ１よりも下流側における、第１の過程Ｐ１と同じ処理順で対象物５０を処理する過程を物流設備の搬入過程等とし、その設備に情報取得部７０、制御部９０及び書き込み装置６０を設置することもできる。図６に示す例は、いずれも、コンベヤにより対象物５０を搬送しながら処理を行うため、対象物５０の処理順が変化しないものとなっているが、第１の過程Ｐ１と、その下流側における電子タグ１０への書き込みを行う過程とで、連続的な搬送がなされる必要はない。
【００８５】
＜第７の例＞
図７は、電子タグ書き込みシステム１の第３の例を示している。本例は、タグ供給部２０及びタグ付属部を備えず、対象物５０に付属の電子タグ１０に書き込みを行う点が第６の例と異なるものである。すなわち、本電子タグ書き込みシステム１は、電子タグ１０を供給して対象物５０に付属させることは行わず、生産及び物流における処理順で対象物５０を処理する過程で、情報取得部７０により取得した処理順に従って、その処理順と関連付けられた書き込み情報を、書き込み装置６０により対象物５０に付属の電子タグ１０に書き込むシステムである。より具体的には、生産者から小売店等に、種類（大きさ、包装等）、数量等がばらばら（少量多品種）の商品を搬送する際、生産者が商品や、その容器又は包装に未書き込みの電子タグ１０を付属させて商品を出荷し、小売店又はその物流センターで、定まった順序で商品を取り扱う過程で、対象物５０に応じて異なる情報を自動的に書き込むことができる。
【００８６】
第７の例で対象物５０の処理順及び各対象物５０の書き込み情報を記憶部８０に記憶する手法は、第５の例と同様とするほか、対象物５０の生産及び物流の過程以外で取得される情報等に基づいて記憶部８０に記憶するものであってもよい。
【００８７】
第７の例のシステムは、例えば図７（ａ）に示すように、生産設備や物流設備の単一の搬送ラインに構築することもできる。また、図７（ｂ）に示すように、物流設備の搬出過程（第１の過程Ｐ１）の設備に個別情報センサ７１及び記憶部８０を設置し、第１の過程Ｐ１よりも下流側における、第１の過程Ｐ１と同じ処理順で対象物５０を処理する過程を小売店の搬入過程（第２の過程）の設備に、情報取得部７０、制御部９０及び書き込み装置６０を含むハンディタイプの機器Ｅ４を設置することもできる。この場合、作業員がハンディタイプの機器Ｅ４の書き込み装置６０を対象物５０に付属する電子タグ１０にかざすことにより、電子タグ１０に書き込みを行うことができる。図７（ａ）に示す例は、コンベヤにより対象物５０を搬送しながら処理を行うため、対象物５０の処理順が変化しないものとなっているが、第１の過程Ｐ１と、その下流側における電子タグ１０への書き込みを行う第２の過程Ｐ２とで、連続的な搬送がなされる必要はない。このため、図７（ｂ）のようなシステム構成も可能となる。
【００８８】
＜他の例＞
第１の例から第７の例までの各例の部分的構成は、他の例の基本的構成を損ねない範囲であれば、他の例に応用することができる。また、後述する応用例の部分的構成も、第２の例から第７の例に対して、その例の基本的構成を損ねない範囲内で応用することができる。
＜応用例＞
図１１及び図１２は、上述の第１の例を応用した電子タグ書き込みシステム１を示している。この電子タグ書き込みシステム１は、粘着面１１を有する電子タグ１０を順次供給するタグ供給部２０と、タグ供給部２０から供給される電子タグ１０を、貼付対象である商品等の対象物５０に貼付する貼付部３０，４０とを備えている。また、この電子タグ書き込みシステム１は、対象物５０に関する書き込み情報を、対象物５０に貼付するまでの過程にある電子タグ１０に書き込む書き込み装置６０と、対象物５０の個別情報を検出する個別情報センサ７１とを備えており、個別情報センサ７１により検出した個別情報の一部又は全部、並びに検出した個別情報に関連する関連情報の少なくとも一方を含む書き込み情報を、書き込み装置６０により、その個別情報の検出を行った対象物５０に貼付することとなる電子タグ１０に書き込む制御部９０を備えている。
【００８９】
したがって、本電子タグ書き込みシステム１では、装置内で、対象物５０の個別情報を検出し、その検出結果に基づく書き込み情報を、その個別情報の検出を行った対象物５０に貼付することとなる電子タグ１０に書き込むものであるため、複数種の対象物５０に対して順不同で電子タグ１０を貼付する場合であっても、自動的に適切な情報が書き込まれた電子タグ１０を貼付することができる。例えば、小売店で電子タグ１０を貼付する場合、種類（大きさ、包装等）、数量等がばらばら（少量多品種）の入荷商品を、作業員が対象物５０の種類が何であるかを意識せずに順次自動的に適切な情報が書き込まれた電子タグ１０を貼付できるようになる。以下、各部について順に説明する。
【００９０】
（貼付部）
貼付部３０，４０は、電子タグ１０供給部から供給される電子タグ１０を、貼付対象である対象物５０に貼付しうる限り、ハンディタイプのラベラーのように作業員が操作するものであってもよく、この場合、個別情報センサ７１や書き込み装置６０を内蔵するものが好ましいが、電子タグ１０供給部及び貼付部と、個別情報センサ７１及び書き込み装置６０の少なくとも一方を別体とすることもできる。図示例の貼付部３０，４０は、電子タグ１０の貼付対象である対象物５０を搬送するコンベヤ３０と、タグ供給部２０から供給される電子タグ１０を受け取り、コンベヤ３０上を搬送される対象物５０に貼付する、ロボット４０とを有するものとなっている。このように、コンベヤ３０により対象物５０を搬送しつつ、その搬送中の対象物５０にロボット４０により電子タグ１０を貼付すると、多数の対象物５０を自動で連続処理することができる。
【００９１】
（コンベヤ）
コンベヤ３０は、駆動源の駆動力により移動体を搬送方向に移動し、移動体上の対象物５０を搬送しうる限り公知のあらゆるコンベヤを用いることができ、例えば、上面が積載面となるベルトコンベヤやプレートコンベヤ等を好適に用いることができる。コンベヤ３０は、対象物５０よりも幅広の積載面を有すると、例えば作業員が大きさの異なる多品種の対象物５０を位置や向きを意識せずに載せることができるため好ましい。もちろん、コンベヤ３０は、対象物５０の種類及び積載位置（向きを含む）が一定のものであってもよい。またコンベヤ３０への対象物５０の積載を機械的に行うこともできる。
【００９２】
コンベヤ３０は、図１１等に示す例のように、複数のコンベヤ３１，３２をつなげて構成することもできるし、図２３に示すように一つのみ設けることもできる。また、コンベヤ３０は、最下流にフリーローラコンベヤ３３を設けておくと、対象物５０はフリーローラコンベヤ３３上に押し出されて停止するため、その後の作業が容易となる。
【００９３】
コンベヤ３０は、一定の速度で連続的に搬送を行うことが望ましいが、電子タグ１０の貼付タイミング等、各種のタイミングを合わせるために適宜の位置での待機時間を挟んで断続的に駆動することもできる。
【００９４】
（個別情報センサ）
個別情報センサ７１は、対象物５０のあらゆる面を検出できることが好ましい。このため、対象物５０をコンベヤ３０により搬送しつつ個別情報センサ７１による検出を行う場合、図１１等に示す装置構成とするのは好ましい。すなわち、この電子タグ書き込みシステム１は、対象物５０を搬送する第１コンベヤ３１と、この第１コンベヤ３１の下流側に隙間を空けて連なり、第１コンベヤ３１から送り出される対象物５０を受け取り搬送する第２コンベヤ３２と、を有し、個別情報センサ７１は、第１コンベヤ３１と第２コンベヤ３２との隙間を通して、対象物５０の下方から対象物５０の個別情報を検出する下方センサ７１Ｌと、ロボット４０の貼付可能範囲よりも上流側で対象物５０の上方から対象物５０の個別情報を検出する上方センサ７１Ｕとを含むものである。
【００９５】
このように、コンベヤ３０を第１コンベヤ３１と第２コンベヤ３２とに分けるだけでなく、その受渡部分の隙間を利用することにより上下両方から対象物５０の個別情報の検出を行うことができるため、対象物５０における個別情報の位置が上下異なる複数種の貼付対象物５０を、上下の向きを意識することなく連続処理することができる。
【００９６】
特に、個別情報センサ７１に撮像センサを用いて広範囲での検出が可能な場合、図１２に示すように、コンベヤ３０を挟んでＣＤ方向一方の斜め上から検出を行う上方センサ７１Ｕと、ＣＤ方向他方の斜め上から検出を行う上方センサ７１Ｕと、コンベヤ３０の直下から検出を行う下方センサ７１Ｌとを設けることにより、３つのセンサで対象物５０の４面の検出を行うことができるため好ましい。つまり、図１０（ａ）（ｂ）（ｃ）に示すように、対象物５０の上面、側面、及び下面の個別情報を検出することができる。なお、ＭＤ方向は機械方向（搬送方向）を意味し、ＣＤ方向はＭＤ方向と直交する横方向を意味する。
【００９７】
（タグ供給部）
タグ供給部２０は特に限定されるものではなく、貼付部３０，４０に対して電子タグ１０を供給できる限り、公知のあらゆる供給機構（例えば特許文献１〜５記載のもの等）を採用することができる。図１３は、電子タグロール２３Ｒを取り付けて使用するタグ供給部２０の一例を示している。電子タグロール２３Ｒは、連続帯状の電子タグシート１５がロール状に巻き取られたものであり、電子タグシート１５は連続帯状の剥離シート１６の連続方向に所定の間隔で繰り返し貼り付けられた電子タグ１０を有するものである。電子タグロール２３Ｒは、図示しない回転軸に回転可能に支持される。
【００９８】
また、このタグ供給部２０は、後述するロボット４０により対象物５０に電子タグを貼付する場合を想定したものであり、電子タグシート１５をその連続方向に移送するとともに、移送方向下流側から順に電子タグ１０を剥離し、ロボット４０に受け渡す受渡部と、電子タグ１０を剥離した後の、連続帯状の剥離シート１６を巻き取る巻取軸２３Ｗとを有している。受渡部は、剥離シート１６を、電子タグ１０を有する側と反対側に折り返すように案内する折り返しガイド２３Ｇ（図示例のような板状のもののほか、回転する軸や回転しない軸でもよい）を含むものであり、剥離シート１６の折り返しにより電子タグシート１５の剥離がなされるようになっている。巻取軸２３Ｗは、図示しないステッピングモータで回転駆動されるようになっており、先頭の電子タグ１０が剥離される度に、適宜の制御タイミングで後続の電子タグ１０が先頭の位置に移動するように（つまり一枚分ずつ）巻き取りがなされるようになっている。
【００９９】
電子タグシート１５は、電子タグロール２３Ｒから繰り出された後、折り返しガイド２３Ｇで鋭角に折り返される。この折り返しの際に、剛性のある電子タグ１０が剥離シート１６から自然に剥離するため、ロボット４０に対して直接又はベルトコンベヤ等を介して間接的に受け渡すことができる。電子タグ１０が剥離された後に残る剥離シート１６は、巻取軸２３Ｗに巻き取られる。
【０１００】
タグ供給部２０は、電子タグシート１５上の電子タグ１０の表面（非粘着面１１）に、小売店のロゴや電子タグ１０に関する説明、これに関連するＷＥＢサイトへ誘導するための二次元コード等の所定の付加情報を印刷するためのプリンタ２３Ｐを備えることができる。これにより、使用する分だけ電子タグ１０に付加情報を順次印刷することができる。
【０１０１】
（ロボットへの電子タグの受け渡し）
ロボット４０により対象物５０に電子タグを貼付する場合、ロボット４０は、タグ供給部２０から供給される電子タグ１０を受け取り、コンベヤ３０上を搬送される対象物５０に貼付するものであれば特に限定されないが、図示例のように、エンドエフェクタとして空気の吸引により物を保持する吸着部４１を有し、第１ベルトコンベヤ２１の第１ベルト２１Ｂ上に貼り付けられた電子タグ１０を吸着部４１により吸着し、この吸着部４１の移動により、電子タグ１０をベルトから剥離した後、対象物５０に貼付するものであると好ましい。図示例の吸着部４１は先端部にラバーカップが取り付けられた管状体であるが、これに限定されず、公知の構造・素材を採用することができる。
【０１０２】
吸着部４１を有するロボット４０への電子タグ１０の受け渡しは、図１４（ａ）に示すように、剥離シート１６上に張り付けられた電子タグ１０表面にロボット４０の吸着部４１を吸着させた状態で、吸着部４１を上昇させることにより、電子タグ１０をベルトから剥離することにより行うこともできる（例えば特許文献５参照）。しかし、このような吸着部４１の上昇移動により、剥離シート１６上に粘着された電子タグ１０を剥離する場合、受け渡しが不確実になるおそれがある。
【０１０３】
そこで、図１４（ｂ）に示すように、ロボット４０の駆動制御により、受渡部における剥離シート１６の折り返し開始位置ＲＰよりも前側で、剥離シート１６上の電子タグ１０に吸着部４１を吸着させた後、吸着部４１を、折り返し開始位置ＲＰまでは電子タグ１０を吸着したまま剥離シート１６とともに移動させ、折り返し開始位置ＲＰ以降は電子タグ１０を吸着したまま剥離シート１６の移動方向ＭＤの接線方向ＴＤに剥離シート１６と同速度で移動させることにより、剥離シート１６の折り返しにより剥離シート１６から剥離した電子タグ１０を吸着部４１に受け渡す受渡機構が提案される。この場合、剥離シート１６の折り返しにより電子タグ１０に働く剥離力を主に利用し、かつ吸着部４１が剥離シート１６から離れることによる力をほとんど利用せずに、吸着部４１で電子タグ１０と保持して剥離シート１６から剥離することができる。よって、非常に簡素な仕組みでありながら、より少ない吸着力で確実な電子タグ１０の受け渡しが可能となる。
【０１０４】
吸着部４１が電子タグ１０に吸着した状態では、吸着部４１、電子タグ１０及び剥離シート１６は一体化しているため、吸着部４１を駆動源により駆動せずに剥離シート１６の移動方向に自由に可能なように支持するだけとし、剥離シート１６の移動力を利用して吸着部４１を移動させることも可能である。しかし、より確実な動作を可能とするために、ロボット４０の駆動により、吸着部４１を、折り返し開始位置ＲＰまでは電子タグ１０を吸着したまま剥離シート１６とともに移動させ、折り返し開始位置ＲＰ以降は電子タグ１０を吸着したまま剥離シート１６の移動方向ＭＤの接線方向ＴＤに移動させることが好ましい。
【０１０５】
電子タグ１０に吸着部４１を吸着させる時、剥離シート１６及びこれに貼り付けられた電子タグ１０は停止していることが好ましいが、第１ベルト２１Ｂを停止せずに、剥離シート１６とともに移動する電子タグ１０に吸着部４１を吸着させてもよい。
【０１０６】
本受渡機構では、吸着部４１は移動可能に支持されていれば、支持装置はロボット４０でなくてもよく、一定の周期で動くような可動部であってもよい。さらに、本受渡機構の吸着部４１は、電子タグ１０を商品等の最終的な貼付対象物５０に貼り付けずに、他のコンベヤ等の搬送装置や、一時的な貼り付け台や、他の吸着部に貼り付けることもできる。
【０１０７】
（書き込み装置）
書き込み装置６０は、対象物５０に貼付するまでの過程にある電子タグ１０に書き込み可能である限り、その設置位置は特に限定されるものではない。例えば、図１１及び図１２に示すように、タグ供給部２０とコンベヤ３０との間（図示例ではコンベヤ３０の脇）に、対象物５０に関する書き込み情報を電子タグ１０に書き込む書き込み装置６０を設置し、ロボット４０は、図１５に示すように、タグ供給部２０から供給される電子タグ１０を受け取り、その電子タグ１０を書き込み装置６０による書き込み可能位置に移動させて一定時間保持し、この間に書き込み装置６０はその電子タグ１０に対象物５０に関する情報を書き込み、しかる後、図１８に示すように、ロボット４０がその電子タグ１０を書き込み装置６０から対象物５０に移動し、対象物５０に貼付することができる。
【０１０８】
また、図２１に示すように、書き込み装置６０を吸着部４１と一体化し、吸着部４１に吸着した電子タグ１０への書き込みを可能とすることもできる。この場合、電子タグ１０を吸着部４１に吸着した後から、対象物５０に貼付するまでの適宜の段階（吸着部４１の移動中の他、吸着部４１を停止した状態でもよい）で、電子タグ１０に情報を書き込むことができる。
【０１０９】
また、図２２に示すように、タグ供給部２０内における電子タグ１０の搬送経路に書き込み装置６０を設置し、ロボット４０への受け渡し前に電子タグ１０に情報を書き込むこともできる。図２２に示す例は、書き込み装置６０を、タグ供給部２０における次に送出される電子タグ１０の下方に設けたものであるが、側方に設けたりする等、適宜の変更が可能である。
【０１１０】
（ロボット）
ロボット４０により電子タグ１０の貼付を行う場合、対象物５０の種類に応じて異なる適切な貼付位置を指定し、その指定貼付位置に貼付することが望ましい。これにより、例えば、対象物５０に応じて、商品に影響しにくい位置や、通信品質が低下しにくい位置に、電子タグ１０を貼付することができる。また、作業員がコンベヤ３０上の対象物５０の位置（向きを含む）を意識せずに、コンベヤ３０上に対象物５０を不規則に載せたとしても、対象物５０の指定貼付位置に電子タグ１０を貼付することができる。電子タグ１０の貼付位置は、図１０（ａ）（ｂ）に示すように個別情報５１の検出面と同一面かつ個別情報５１と重ならない位置とすると、電子タグ１０の貼付後に電子タグ１０で個別情報５１が隠れることがないため、電子タグ１０の記憶内容と対象物５０の個別情報５１との比較確認が容易となるが、図１０（ｃ）に示すように個別情報５１の検出面と異なる面としたり、図示しないが個別情報５１と一部又は全部が重なる位置としたりすることもできる。
【０１１１】
具体的には、コンベヤ３０における、ロボット４０の貼付可能範囲よりも上流側に、コンベヤ３０上を搬送される対象物５０を撮像する撮像装置７２を設け、個別情報センサ７１はこの撮像装置７２よりも上流側に設けられる。また、対象物５０の画像情報と、対象物５０における指定貼付位置とが関連付けて記憶された、記憶部８０を設ける。そして、制御部９０は、画像認識により撮像装置７２による撮像情報と記憶部８０に記憶された対象物５０の画像情報とを比較し、コンベヤ３０上に対象物５０を認識したときには、その認識した対象物５０と関連付けられた指定貼付位置を記憶部８０から読み出すとともに、コンベヤ３０上における対象物５０の位置を検知し、これら指定貼付位置と対象物５０の位置とに基づいて、ロボット４０に、電子タグ１０を、コンベヤ３０上を搬送される対象物５０における指定貼付位置に貼付させる。ここで、コンベヤ３０上における対象物５０の位置情報のうち、ＭＤ方向における位置座標は、撮像装置７２による撮像タイミングと、コンベヤ３０の搬送速度とに基づいて算出することができ、ＭＤ方向と直交する方向の位置座標と、向きとは撮像装置７２による撮像情報から画像認識により求めることができる。また、コンベヤ３０の搬送速度は、例えばコンベヤ３０の駆動系（例えばベルト）に図示しないロータリーエンコーダを取り付けて検出することができる。よって、制御部９０は、これらの位置情報に基づいて対象物５０がロボット４０による貼付可能範囲にあるタイミングで、ロボット４０に対象物５０における指定貼付位置に電子タグ１０を貼付させることができる。
【０１１２】
＜応用例の動作の流れ＞
本電子タグ書き込みシステム１は、作業員が対象物５０をコンベヤ３０の供給位置に載せるステップと、コンベヤ３０により搬送される対象物５０の個別情報を個別情報センサ７１により検出するステップと、コンベヤ３０により搬送される対象物５０の位置情報を検知するステップと、個別情報センサ７１により検出した個別情報の一部又は全部、並びに検出した個別情報に基づいて取得される関連情報の少なくとも一方を含む書き込み情報を、電子タグ１０に書き込むステップと、情報を書き込んだ電子タグ１０を、コンベヤ３０により搬送される対象物５０に貼付するステップとを含むことを基本とする。これらのステップを実行可能である限り、各部の動作タイミング等、詳細な制御は適宜行うことができる。
【０１１３】
図２４は、動作フローの一例である。本電子タグ書き込みシステム１の動作を開始すると、制御部９０によりコンベヤ３０が駆動されるとともに、個別情報センサ７１、撮像装置７２による検出、撮影が開始される。また、同時に図１５に示すように、ロボット４０がタグ供給部２０から電子タグ１０を受け取り、書き込み装置６０による書き込み可能位置に電子タグ１０を移動し、待機する。このように、予め電子タグ１０を書き込み装置６０による書き込み可能位置に待機させておくことにより、個別情報を検出してから電子タグ１０への書き込みまでの時間を短縮することができる。これにより、全体としての貼付効率を向上できるのはもちろん、個別情報センサ７１から貼付位置までの搬送距離を短縮することができ、装置の小型化を図ることができる。これに代えて、後述する電子タグ１０への書き込みの際に、電子タグ１０の受け取りから書き込みまでを一度に行うこともできる。
【０１１４】
次に、作業員がコンベヤ３０上の供給位置（個別情報センサ７１よりも上流側）に対象物５０を載せ、搬送する。これにより、図１６に示すように、対象物５０はまず個別情報センサ７１による検出位置を通過し、その際に対象物５０の個別情報が検出される。ここで、図示例のように、個別情報センサ７１の手前に対象物５０の通過を検出する通過センサ７３を設けておき、この通過センサ７３により対象物５０の通過を検知してから所定時間（例えば数秒程度）経過するまでに、個別情報センサ７１により個別情報が検出されない場合、制御部９０は個別情報の検出エラーと判断し、少なくともコンベヤ３０を停止することができる。この場合、もちろん、装置１の全体を一時的に停止してもよい。例えば、対象物５０における目的の個別情報（一次元コード等）の位置が、個別情報センサ７１により検出できない面に存在していると、このような状況になる。この場合、対象物５０を取り出した後、装置始動からやり直すことにより、電子タグ１０も無駄にならずに運転を再開することができる。なお、個別情報の検出エラーが発生したときには、対象物５０を排出可能な時間だけコンベヤ３０の駆動のみ継続し、その後、自動的に正常運転に復帰するようにしてもよい。いずれにせよ、このような個別情報の検出エラーが発生すると、電子タグ１０への書き込みは不可能となる。通過センサ７３としては、コンベヤ３０上の対象物５０の通過位置を挟んで発光素子及び受光素子を対向配置し、対象物５０の通過による発光素子の光の遮断を受光素子の出力の変化により検知するフォトセンサ等、公知の通過センサ７３を用いることができる。
【０１１５】
対象物５０の個別情報が検出された場合、制御部９０は、個別情報センサ７１により検出した個別情報の一部又は全部、並びに検出した個別情報に基づいて取得される関連情報の少なくとも一方を含む書き込み情報を取得又は作成し、書き込み装置６０により、その個別情報の検出を行った対象物５０に貼付することとなる電子タグ１０に書き込む。この一方で、図１７に示すように、対象物５０はコンベヤ３０上により先に進み、撮像装置７２により撮影され、その撮像装置７２による撮像結果が制御部９０に連続的に入力されている。制御部９０は、画像認識により撮像装置７２による撮像情報と記憶部８０に記憶された対象物５０の画像情報とを比較し、コンベヤ３０上に対象物５０を認識したときには、その認識した対象物５０と関連付けられた指定貼付位置を記憶部８０から読み出すとともに、コンベヤ３０上における対象物５０の位置を検知する。そして、制御部９０は、これら指定貼付位置と対象物５０の位置とに基づいて、図１８に示すように、対象物５０がロボット４０による貼付可能範囲にあるタイミングで、ロボット４０に対象物５０における指定貼付位置に電子タグ１０を貼付させる。電子タグ１０を貼付した対象物５０は、図１１に示すようにコンベヤ３０により先に進み、作業員により取り出される。図１１に示すように、コンベヤ３０は、最下流にフリーローラコンベヤ３３を設けておくと、対象物５０はフリーローラコンベヤ３３上に押し出されて停止するため、その後の作業が容易となる。ロボット４０が電子タグ１０を貼付した後は、開始時に戻り、コンベヤ３０上の対象物５０の有無に関係なく、ロボット４０がタグ供給部２０から電子タグ１０を受け取り、書き込み装置６０による書き込み可能位置に電子タグ１０を移動し、待機する。
【０１１６】
電子タグ１０への書き込みの際、書き込みエラーが発生することがある。この場合、書き込みエラーの検知タイミングが対象物５０の搬送中であるため、書き込みのやり直しが間に合うタイミングであれば搬送を継続しつつ、又は書き込みのやり直しが間に合わない場合には一時的に搬送を停止して、図２４のフローに示すように書き込みのやり直しを行うことが望ましい。しかし、図示例のようにロボット４０が受け取った電子タグ１０を、ロボット４０により書き込み装置６０に近接させて書き込みを行う手法では、電子タグ１０の書き込みエラーが発生したときには、当該電子タグ１０を離してからでなければ次の処理を行うことができない。そこで、図１１等に示すように、コンベヤ３０による対象物５０の搬送空間以外に、廃棄する電子タグ１０を貼り付けておくための仮貼付部３５を設けておき、制御部９０は、電子タグ１０の書き込みエラーが発生したときには、図１９に示すように、ロボット４０が受け取った電子タグ１０を仮貼付部３５に貼付させるとともに、その電子タグ１０を貼付することが予定されていた対象物５０には電子タグ１０を貼付せずにコンベヤ３０から排出させるのが好ましい。対象物５０をコンベヤ３０から排出する場合、図１９に示すように正常運転時と同様に排出するほか、図２０に示すようにコンベヤの側方に排出シュート等の不良排出部３６と、コンベヤ３０上の対象物５０を不良排出部３６に押し出すエアシリンダー等の押し出し装置３７を設けることも可能である。また、電子タグ１０の書き込みエラーが連発するときには、書き込みのやり直しでは解決しないことが多いため、図２４のフローに示すように、制御部９０は書き込みエラーをカウントし、所定回数エラーが連発したときには少なくともコンベヤ３０を停止することができる。この場合、もちろん、装置１の全体を一時的に停止してもよい。
【０１１７】
指定貼付位置の読み出しの際、画像認識のエラーや、対象物５０の画像と指定貼付位置が記憶部８０に記憶されていないものであること等により、指定貼付位置の読み出しエラーが発生することがある。この場合、ロボット４０は既に受け取っている電子タグ１０を対象物５０に貼り付けることができない。しかも、前述のように、処理の高速化等のために、指定貼付位置の読み出しが完了する前に、電子タグ１０がロボット４０に受け渡され、書き込みが終了していると、その電子タグ１０を離してからでなければ次の処理を行うことができない。そこで、仮貼付部３５を設けておき、個別情報センサ７１により個別情報を検出した後、対象物５０がロボット４０の貼付可能範囲を通過するまで指定貼付位置の読み出しがなかったときには、指定貼付位置の読み出しエラーとみなして、前述の電子タグ１０の書き込みエラーの場合と同様に、ロボット４０が受け取った電子タグ１０を仮貼付部３５に貼付させるとともに、その電子タグ１０を貼付することが予定されていた対象物５０には電子タグ１０を貼付せずにコンベヤ３０から排出させるのは好ましい。
【０１１８】
ここで、「個別情報センサ７１により個別情報を検出した後、対象物５０がロボット４０の貼付可能範囲を通過するまで」とは、例えば、撮像装置７２よりも上流側に位置する対象物５０を検出するためのセンサ（このセンサとしては、前述の通過センサ７３や個別情報センサ７１を利用するほか、専用のセンサを設けてもよい）により対象物５０を検出してからの時間経過により検知することができる。もちろん、撮像装置７２よりも下流側に通過センサ７３を設けて、この検出結果に基づいて対象物５０がロボット４０の貼付可能範囲を通過するタイミングを検知してもよい。
【０１１９】
他の例としては、入力装置８１により同一の対象物５０の連続処理が選択されたときには、制御部９０は、最初の対象物５０に電子タグ１０を貼付するときには、個別情報センサ７１により検出した個別情報の一部又は全部、並びに検出した個別情報に基づいて取得される関連情報の少なくとも一方を含む書き込み情報を、書き込み装置６０により、その個別情報の検出を行った対象物５０に貼付することとなる電子タグ１０に書き込み、最初の対象物５０以降の前記同一の対象物５０に電子タグ１０を貼付するときには、最初の対象物５０における書き込み情報を、書き込み装置６０により、最初の対象物５０以降の対象物５０に貼付することとなる電子タグ１０に書き込むことも提案する。この場合、作業員が入力装置８１を用いて連続処理を選択することにより、その選択が有効な間、同一の対象物５０を複数個連続して処理することができるため、ある程度まとまった量の対象物５０を処理するのであれば、かえって効率よく電子タグ１０への情報の書き込みと貼付を行うことができる（半自動）。また、商品を自動認識する場合と比較して、制御が簡素となり、対象物５０の誤認識のおそれもないものとなる。
【産業上の利用可能性】
【０１２０】
本発明は、電子タグを商品等の対象物に付属させるにあたり、電子タグに対象物に関する情報を書き込むために利用できる。
【符号の説明】
【０１２１】
１…電子タグ書き込みシステム、１０…電子タグ、１０ａ，１０ｉ…インレット、１０ａ…アンテナ、１０ｉ…ＩＣチップ、１１…粘着面、１２…粘着不能化部分、１３…残粘着部分、１５…電子タグシート、１６…剥離シート、２０…タグ供給部、２１…第１ベルトコンベヤ、２１Ｂ…第１ベルト、２３Ｇ…折り返しガイド、２３Ｒ…電子タグロール、２３Ｗ…巻取軸、３０，４０…貼付部、３０…コンベヤ、３１…第１コンベヤ、３２…第２コンベヤ、３３…フリーローラコンベヤ、３５…仮貼付部、３６…不良排出部、３７…押し出し装置、４０…ロボット、４１…吸着部、５０…対象物、５１…個別情報、６０…書き込み装置、７０…情報取得部、７１…個別情報センサ、７１Ｌ…下方センサ、７１Ｕ…上方センサ、７２…撮像装置、７３…通過センサ、８０…記憶部、８１…入力装置、８２…表示装置、９０…制御部、Ｅ１…第１の機器、Ｅ２…第２の機器、Ｅ０…１つの機器、Ｅ３…第３の機器、Ｐ１…第１の過程、Ｐ２…第２の過程、Ｐ３…第３の過程。
【図１】
2020149126.tif 000003
【図２】
2020149126.tif 000004
【図３】
2020149126.tif 000005
【図４】
2020149126.tif 000006
【図５】
2020149126.tif 000007
【図６】
2020149126.tif 000008
【図７】
2020149126.tif 000009
【図８】
2020149126.tif 000010
【図９】
2020149126.tif 000011
【図１０】
2020149126.tif 000012
【図１１】
2020149126.tif 000013
【図１２】
2020149126.tif 000014
【図１３】
2020149126.tif 000015
【図１４】
2020149126.tif 000016
【図１５】
2020149126.tif 000017
【図１６】
2020149126.tif 000018
【図１７】
2020149126.tif 000019
【図１８】
2020149126.tif 000020
【図１９】
2020149126.tif 000021
【図２０】
2020149126.tif 000022
【図２１】
2020149126.tif 000023
【図２２】
2020149126.tif 000024
【図２３】
2020149126.tif 000025
【図２４】
2020149126.tif 000026